(57)【要約】【課題】コンテナ内に並べて収容する複数本のきのこ栽培瓶に充填する培地の総充填量を増やすことのできるきのこ栽培瓶を提供する。【解決手段】きのこ栽培瓶の瓶胴部２４をほぼ方形筒状に形成して、コンテナ３０内に起立させて縦横に複数本並べて収容するきのこ栽培瓶の瓶胴部２４の間を互いに隙間なく面接触状態に密着させる。そして、そのコンテナ３０内に並べて収容する複数本のきのこ栽培瓶２０に充填する培地の総充填量を、その隣り合うきのこ栽培瓶の瓶胴部２４の間に隙間を生じさせない分、増加させる。【選択図】図２
2007195470.tif 000002
【特許請求の範囲】
【請求項１】
きのこ栽培用の培地を充填する、広口の瓶口を持つ、きのこ栽培瓶であって、
その有底の瓶胴部が、ほぼ方形筒状に形成されたことを特徴とするきのこ栽培瓶。
【請求項２】
前記きのこ栽培瓶を、その瓶胴部を互いに密着させて、複数本起立させて縦横に並べて配列した状態において、その隣り合うきのこ栽培瓶の瓶胴部の間に、冷却用の外気を循環させる隙間が形成されるように、そのほぼ方形筒状をなすきのこ栽培瓶の瓶胴部四隅の外側縁がほぼ円弧状、ほぼ直線状又はほぼＬ字状に面取り形成されたことを特徴とする請求項１記載のきのこ栽培瓶。
【請求項３】
きのこ栽培用の培地を充填する、広口の瓶口を持つ、きのこ栽培瓶であって、
前記瓶口が、ほぼ方形筒状に形成されたことを特徴とするきのこ栽培瓶。
【発明の詳細な説明】
【技術分野】
【０００１】
本発明は、えのき茸等のきのこ栽培に用いられる、きのこ栽培用の培地を充填する、きのこ栽培瓶に関する。
【背景技術】
【０００２】
えのき茸等のきのこの人工栽培においては、一般に、ポリプロピレン製などの広口のきのこ栽培瓶に、オガ屑、米ぬか等を混合してなる培地を充填して、その培地に、えのき茸等のきのこの菌糸を接種している。そして、その培地に、きのこの菌糸を蔓延させている。次いで、そのきのこの菌糸を蔓延させた培養済みの培地から、きのこを発芽させている。そして、そのきのこを、きのこ栽培瓶の広口の瓶口内側を通して、きのこ栽培瓶の瓶口上方に収穫するまでの大きさに株状に生育している。
【０００３】
図１０に示したように、きのこ栽培瓶２０は、一般に、その有底の瓶胴部２４がほぼ円筒状をしている。また、その瓶胴部２４に瓶肩部２６を介して連なる広口の瓶口２２も、ほぼ円筒状をしている。
【０００４】
このきのこ栽培瓶２０を用いたきのこの人工栽培においては、従来一般に、図１１に示したように、きのこ（図示せず）を栽培中の複数本のきのこ栽培瓶２０を、ほぼ方形籠状をしたプラスチック製などの底浅のコンテナ３０内に、縦方向に例えば４本、横方向に例えば４本の、合計１６本起立させて縦横に並べて収容している。複数本のきのこ栽培瓶２０は、そのほぼ円筒状をした瓶胴部２４の外側面の一部同士を互に線接触させた状態で、コンテナ３０内に動かぬように隙間少なく互いに密着させて並べて収容している。きのこ栽培瓶２０は、その瓶上部をコンテナ３０上方に突出させた状態で、コンテナ３０内に起立させて並べて収容している。
そして、そのコンテナ３０内に収容された１６本等の複数本のきのこ栽培瓶２０を、手数を掛けずに纏めて一度に運搬できるようにしている。
【特許文献１】特開２００５−０４６０５０号公報
【特許文献２】特開平０５−０４９３４８号公報
【発明の開示】
【発明が解決しようとする課題】
【０００５】
しかしながら、従来一般のきのこ栽培用のきのこ栽培瓶は、上記のように、その瓶胴部２４がほぼ円筒状をしているため、そのきのこ栽培瓶２０を、上記コンテナ３０内に起立させて縦横に並べて収容した場合には、図１２に示したように、その隣り合う瓶胴部２４の間にほぼ十字星型をした隙間３２が生じた。そして、その隙間３２が生じた分、そのコンテナ３０内に互いに密着させて並べて収容される複数本のきのこ栽培瓶２０に充填される培地の総充填量が減少した。
その結果、その培地の総充填量の少ない分だけ、そのコンテナ３０内に並べて収容される複数本のきのこ栽培瓶２０を用いて生育するきのこの総収穫量が減少した。即ち、そのコンテナ３０内に並べて収容される複数本のきのこ栽培瓶２０を用いて栽培されるきのこの総収穫量が、そのコンテナ３０内の隣り合うきのこ栽培瓶の瓶胴部２４の間に生ずるほぼ十字星型をした上記隙間３２分だけ、減少した。
【０００６】
また、従来一般のきのこ栽培瓶は、その広口の瓶口２２がほぼ円筒状をしていて、その瓶口２２内側を通して、きのこ栽培瓶２０上方に株状に伸長させるきのこ１０が、図１２に示したように、ほぼ円筒状をした瓶口２２内側面の形状に倣って、ほぼ円柱状に生育した。
その結果、そのほぼ円柱状に生育したきのこ１０を、きのこ栽培瓶２０から抜き取って、透明な袋等に入れてダンボール箱等に箱詰めした場合に、その袋詰め等されたほぼ円筒状をした隣り合うきのこ１０の間に、ほぼ十字星型をした隙間が生じた。そして、その隙間分、その袋詰め等された複数本のきのこ１０を互いに密着させて隙間なくコンパクトに箱詰めできなかった。そして、その袋詰め等されて箱詰めされたきのこ１０を、トラックの荷台等に乗せて搬送する際の運送コストが、上記隙間のあいた分だけ、嵩んだ。
【０００７】
本発明は、このような課題を解消するためになされたもので、コンテナ内に互いに密着させて並べて収容する複数本の隣り合うきのこ栽培瓶の瓶胴部の間に隙間を生じさせずに、そのコンテナ内に並べて収容する複数本のきのこ栽培瓶に充填する培地の総充填量を増やして、そのコンテナ内に並べて収容するきのこ栽培瓶に充填された培地を用いて生育するきのこの総収穫量を増やすことのできる、きのこ栽培瓶を提供することを、第１の目的としている。
また、そのきのこ栽培瓶の広口の瓶口内側を通して、きのこ栽培瓶の上方に株状に伸長させるきのこを、ほぼ円柱状ではなくて、ほぼ四角柱状に生育して、そのきのこを互いに密着させて隙間なくコンパクトに箱詰めできる、きのこ栽培瓶を提供することを、第２の目的としている。
【課題を解決するための手段】
【０００８】
上記第１の目的を達成するために、本発明の第１のきのこ栽培瓶は、その瓶胴部が、ほぼ方形筒状に形成されたことを特徴としている。
【０００９】
このような構成とすることにより、そのきのこ栽培瓶をコンテナ内等に起立させて縦横に複数本互いに密着させて並べて収容した場合に、その隣り合うきのこ栽培瓶の瓶胴部がほぼ方形筒状をしているため、そのコンテナ内等に並べて収容されるきのこ栽培瓶の瓶胴部の間に前記のほぼ十字星型等をした隙間を生じさせずに、その隣り合うきのこ栽培瓶の瓶胴部の間を互いに隙間なく面接触状態に密着させることができる。そして、そのコンテナ内等に並べて収容する複数本のきのこ栽培瓶に充填する培地の総充填量を、隣り合うきのこ栽培瓶の瓶胴部の間に隙間を生じさせない分、増加させることができる。そして、そのコンテナ内等に並べて収容する複数本のきのこ栽培瓶に充填された培地を用いて生育するきのこの総収穫量を増大させることが可能となる。
【００１０】
本発明の第１のきのこ栽培瓶においては、そのきのこ栽培瓶を、その瓶胴部を互いに密着させて、複数本起立させて縦横に並べて配列した状態において、その隣り合うきのこ栽培瓶の瓶胴部の間に、冷却用の外気を循環させる隙間が形成されるように、そのほぼ方形筒状をなすきのこ栽培瓶の瓶胴部四隅の外側縁がほぼ円弧状、ほぼ直線状又はほぼＬ字状に面取り形成された構造とすると、良い。
そうした場合には、そのきのこ栽培瓶のほぼ方形筒状をなすきのこ栽培瓶の瓶胴部四隅の外側縁が、ほぼ円弧状、ほぼ直線状又はほぼＬ字状に面取り形成されているため、そのきのこ栽培瓶の瓶胴部を互いに面接触状態に密着させて、コンテナ内等に起立させて複数本縦横に並べて配列した状態において、その隣り合うきのこ栽培瓶の瓶胴部の間に、その上端がきのこ栽培瓶上方の外気中に向けて開口し、その下端がきのこ栽培瓶の瓶底部に達する、ほぼ星型筒状又はほぼ四角筒状の縦長の隙間を形成できる。そして、その隣り合うきのこ栽培瓶の瓶胴部の間に形成される隙間に、冷却用の外気を循環させることができる。そして、その外気により、きのこ栽培瓶に充填された培地で繁殖中のきのこの菌糸が発する熱を、外気中に放散し続けることができる。そして、そのきのこの菌糸が発する熱により、きのこ栽培瓶が高温となって、そのきのこ栽培瓶を用いて栽培中のきのこが悪影響を受けるのを、防ぐことができる。
【００１１】
上記第２の目的を達成するために、本発明の第２のきのこ栽培瓶は、その瓶口が、ほぼ方形筒状に形成されたことを特徴としている。
【００１２】
このような構成とすることにより、そのきのこ栽培瓶の瓶口内側を通して、きのこ栽培瓶上方に株状に伸長させるきのこを、そのほぼ方形筒状に形成された瓶口内側面の形状に倣って、ほぼ円柱状ではなくて、ほぼ四角柱状に生育できる。そして、そのほぼ四角柱状に生育したきのこを、きのこ栽培瓶から抜き取って、透明な袋等に入れて複数本纏めて箱詰めした場合に、その袋詰め等されたほぼ四角柱状をした隣り合うきのこの間に、隙間を生じさせずに、互いに面接触状態に密着させてコンパクトに箱詰め可能となる。
また、そのほぼ四角柱状に生育したきのこを、きのこ栽培瓶から抜き取って、透明な袋等に入れて店頭などに並べて陳列した場合に、そのほぼ四角柱状に生育したきのこを、ほぼ円柱状に生育した従来のきのこに比べて、ボリューム感のある、見栄えの良い状態で、陳列可能となる。
【発明の効果】
【００１３】
本発明の第１のきのこ栽培瓶によれば、コンテナ内等に互いに密着させて並べて配列する複数本の隣り合うきのこ栽培瓶の瓶胴部の間に無駄な隙間が生ずるのを、防ぐことができる。そして、その隣り合うきのこ栽培瓶の瓶胴部の間に無駄な隙間を生じさせない分、そのコンテナ内等に並べて配列する複数本のきのこ栽培瓶に充填される培地の総充填量を増やして、そのコンテナ内等に並べて配列するきのこ栽培瓶に充填された培地を用いて生育するきのこの総収穫量を増やすことが、可能となる。
本発明の第２のきのこ栽培瓶によれば、そのきのこ栽培瓶の瓶口内側を通して、きのこ栽培瓶の上方に株状に伸長するきのこを、ほぼ四角柱状に生育できる。そして、そのほぼ四角柱状に生育した複数本のきのこを互いに隙間なく面接触状態に密着させてコンパクトに箱詰め等することが可能となる。加えて、そのほぼ四角柱状に生育したきのこを、ほぼ円柱状に生育された従来のきのこに比べて、ボリューム感のある、見栄えの良い状態で、店頭等に並べて陳列可能となる。
【発明を実施するための最良の形態】
【００１４】
次に、本発明の実施の形態を図面に従い説明する。
図１と図２は本発明の第１のきのこ栽培瓶の好適な実施の形態を示し、図１はその斜視図、図２はその使用状態説明図である。以下に、この第１のきのこ栽培瓶を説明する。
【００１５】
この第１のきのこ栽培瓶は、その有底の瓶胴部２４が、ほぼ方形筒状に形成されている。
瓶胴部２４上端には、なで肩の瓶肩部２６を介して、ほぼ円筒状をした広口の瓶口２２が連なっている。有底の瓶胴部２４、瓶肩部２６、広口の瓶口２２が一連に連なるきのこ栽培瓶２０は、ポリプロピレン樹脂を用いて、ブロー成形法により、一体形成されている。
【００１６】
図１と図２に示した第１のきのこ栽培瓶は、以上のように構成されていて、この第１のきのこ栽培瓶を用いて、えのき茸等のきのこ栽培を行う際には、図２に示したように、その第１のきのこ栽培瓶をほぼ方形籠状をした底浅のコンテナ３０内に起立させて縦横に複数本互いに密着させて並べて収容している。そして、そのコンテナ３０内に複数本のきのこ栽培瓶２０を、図３に示したように、その隣り合うきのこ栽培瓶のほぼ方形筒状をした瓶胴部２４の間に前記のほぼ十字星型等をした隙間を生じさせずに、その隣り合うきのこ栽培瓶の瓶胴部２４の間を互いに隙間なく面接触状態に密着させた状態としている。そして、そのコンテナ３０内に並べて収容される複数本のきのこ栽培瓶２０に充填する培地の総充填量を、その隣り合うきのこ栽培瓶の瓶胴部２４の間に上記隙間を生じさせない分、増加させている。そして、そのコンテナ３０内に並べて収容する複数本のきのこ栽培瓶２０に充填された培地を用いて生育するきのこ１０の総収穫量を増大させている。
【００１７】
この第１のきのこ栽培瓶においては、図４に示したように、そのほぼ方形筒状をしたきのこ栽培瓶の瓶胴部２４四隅の外側縁が、ほぼ円弧状、ほぼ直線状又はほぼＬ字状（図４では、ほぼ円弧状としている）に面取り形成された構造とすると良い。そして、そのきのこ栽培瓶２０を、その瓶胴部２４を互いに面接触状態に密着させて、コンテナ３０内に起立させて複数本縦横に並べて収容した状態において、その隣り合うきのこ栽培瓶の瓶胴部２４の間に、その上端がきのこ栽培瓶２０上方の外気中に向けて開口し、その下端がきのこ栽培瓶の底部に達する、ほぼ星型筒状又はほぼ四角筒状（図４では、ほぼ星型筒状としている）の縦長の隙間３４を形成すると良い。そして、その隣り合うきのこ栽培瓶の瓶胴部の間に形成された隙間３４に、冷却用の外気を循環させると良い。そして、その外気により、きのこ栽培瓶２０に充填された培地で繁殖中のきのこの菌糸が発する熱を、外気中に放散させると良い。そして、そのきのこの菌糸が発する熱により、きのこ栽培瓶２０が高温となって、そのきのこ栽培瓶２０を用いて栽培中のきのこが悪影響を受けるのを、防ぐと良い。
【００１８】
図５と図６は本発明の第２のきのこ栽培瓶の好適な実施の形態を示し、図５はその斜視図、図２はその使用方法説明図である。以下に、この第２のきのこ栽培瓶を説明する。
【００１９】
この第２のきのこ栽培瓶は、その有底の瓶胴部２４が、上述の第１のきのこ栽培瓶と同様に、ほぼ方形筒状に形成されている。
それと共に、その広口の瓶口２２も、ほぼ方形筒状に形成されている。
【００２０】
その他は、上述の第１のきのこ栽培瓶と同様に構成されていて、その使用に際しては、図６に示したように、その複数本のきのこ栽培瓶２０を、その瓶胴部２４を互いに面接触させた状態で、コンテナ３０内に起立させて縦横に並べて収容している。そして、その複数本のきのこ栽培瓶２０をコンテナ３０内に縦横に並べて収容した際に、その複数本のきのこ栽培瓶２０の間に隙間が生ずるのを防いでいる。そして、そのコンテナ３０内に縦横に並べて収容する複数本のきのこ栽培瓶２０に充填される培地の総充填量を増加させている。そして、そのコンテナ３０内に縦横に並べて収容する複数本のきのこ栽培瓶２０を用いて生育するきのこ１０の総収穫量を増大させている。
また、そのきのこ栽培瓶の瓶口２２内側を通して、きのこ栽培瓶２０上方に株状に伸長させるきのこ１０を、図７に示したように、そのほぼ方形筒状に形成された瓶口２２内側面の形状に倣って、ほぼ円柱状ではなくて、ほぼ四角柱状に生育している。そして、そのほぼ四角柱状に生育したきのこを、きのこ栽培瓶２０から抜き取って、透明な袋等に入れて複数本纏めてダンボール箱等に箱詰めした場合に、その袋詰めされたほぼ四角柱状をした隣り合うきのこ１０の間に隙間を生じさせずに、その隣り合うきのこ１０の間を互いに面接触状態に密着させてコンパクトに箱詰め可能としている。
また、そのほぼ四角柱状に生育したきのこ１０を、きのこ栽培瓶２０から抜き取って、透明な袋等に入れて店頭などに並べて陳列した場合に、そのほぼ四角柱状に生育したきのこ１０を、ほぼ円柱状に生育した従来のきのこに比べて、ボリューム感のある、見栄えの良い状態で、陳列可能としている。
【００２１】
この第２のきのこ栽培瓶においては、上述の第１のきのこ栽培瓶と同様に、図７に示したように、そのほぼ方形筒状をしたきのこ栽培瓶の瓶胴部２４四隅の外側縁が、ほぼ円弧状、ほぼ直線状又はほぼＬ字状（図７では、ほぼ円弧状としている）に面取り形成された構造とすると良い。そして、そのきのこ栽培瓶２０をコンテナ３０内に起立させて複数本縦横に並べて収容した状態において、その隣り合うきのこ栽培瓶の瓶胴部２４の間に、ほぼ星型筒状又はほぼ四角筒状の縦長の隙間３４を形成可能とすると良い。そして、その隣り合うきのこ栽培瓶の瓶胴部２４の間に形成された隙間３４に、冷却用の外気を循環させて、その外気により、きのこ栽培瓶２０に充填された培地で繁殖中のきのこの菌糸が発する熱を、外気中に放散させることが可能とすると良い。
【００２２】
この第１、第２のきのこ栽培瓶においては、図８、図９に示したように、その瓶胴部２４の中途部側壁を、鼓状等に小径に絞って、その瓶胴部２４の中途部外側面周囲に、ほぼ断面円弧状等をした窪み２８を形成しても良い。そして、その第１、第２のきのこ栽培瓶をコンテナ３０内に起立させて複数本縦横に並べて収容した状態において、その隣り合うきのこ栽培瓶の瓶胴部２４の間に形成される前記の隙間３４を循環させる冷却用の外気を、その第１、第２のきのこ栽培瓶の瓶胴部２４の中途部外側面周囲に形成された窪み２８の内側空間を大量かつ円滑に循環させるようにしても良い。そして、その第１、第２のきのこ栽培瓶に充填された培地で繁殖中のきのこの菌糸が発する熱を、外気中に効率よく確実に放散できるようにしても良い。
【００２３】
また、第２のきのこ栽培瓶においては、その有底の瓶胴部２４を、従来一般のきのこ栽培瓶と同様に、ほぼ円筒状に形成することも可能である。
ただし、そうした場合は、そのきのこ栽培瓶の瓶口２２内側を通して、きのこ栽培瓶２０上方に株状に伸長させるきのこ１０を、そのほぼ方形筒状に形成された瓶口２２内側面の形状に倣って、ほぼ円柱状ではなくて、ほぼ四角柱状に生育することが可能となるが、その複数本のきのこ栽培瓶２０をコンテナ３０内に起立させて縦横に並べて収容した際には、その複数本のきのこ栽培瓶の瓶胴部２４の間に、従来と同様のほぼ十字星型状の隙間があくことになる。そして、その分、そのコンテナ３０内に収容する複数本のきのこ栽培瓶２０に充填される培地の総充填量が減少することになる。
【産業上の利用可能性】
【００２４】
本発明の第１、第２のきのこ栽培瓶は、広口の瓶口を持つ、きのこ栽培用の培地を充填する、えのき茸等のきのこ栽培用のきのこ栽培瓶に、広く有効利用可能である。
【図面の簡単な説明】
【００２５】
【図１】本発明の第１のきのこ栽培瓶の斜視図である。
【図２】本発明の第１のきのこ栽培瓶の使用方法説明図である。
【図３】本発明の第１のきのこ栽培瓶の使用状態説明図である。
【図４】本発明の第１のきのこ栽培瓶の使用状態説明図である。
【図５】本発明の第２のきのこ栽培瓶の斜視図である。
【図６】本発明の第２のきのこ栽培瓶の使用方法説明図である。
【図７】本発明の第２のきのこ栽培瓶の使用状態説明図である。
【図８】本発明の第１のきのこ栽培瓶の斜視図である。
【図９】本発明の第２のきのこ栽培瓶の斜視図である。
【図１０】従来のきのこ栽培瓶の斜視図である。
【図１１】従来のきのこ栽培瓶の使用方法説明図である。
【図１２】従来のきのこ栽培瓶の使用状態説明図である。
【符号の説明】
【００２６】
２０ きのこ栽培瓶
２２ きのこ栽培瓶の瓶口
２４ きのこ栽培瓶の瓶胴部
２６ きのこ栽培瓶の瓶肩部
２８ 窪み
３０ コンテナ
３２ 隙間
３４ 隙間
【図１】
2007195470.tif 000003
【図２】
2007195470.tif 000004
【図３】
2007195470.tif 000005
【図４】
2007195470.tif 000006
【図５】
2007195470.tif 000007
【図６】
2007195470.tif 000008
【図７】
2007195470.tif 000009
【図８】
2007195470.tif 000010
【図９】
2007195470.tif 000011
【図１０】
2007195470.tif 000012
【図１１】
2007195470.tif 000013
【図１２】
2007195470.tif 000014